(57)【要約】【課題】バッテリーポストに対する固定力を安定化することが可能なバッテリーターミナルを提供する。【解決手段】バッテリポストＰを包囲する略筒状をなすとともに周方向の一部が開放され、その開放部が開閉することにより径寸法が変わるポスト接続部１１と、前記開放部の両端から外側に突出し、締付具２０，２１によって互いに接近する方向に変位可能な一対の締付片１２と、を備え、前記ポスト接続部１１には、部分的に内側に突出する突出部１５が、少なくとも前記開放部の両側の位置と前記開放部とは反対側の位置とに設けられている。【選択図】図５
2016122574.tif 000002
【特許請求の範囲】
【請求項１】
バッテリポストを包囲する略筒状をなすとともに周方向の一部が開放され、その開放部が開閉することにより径寸法が変わるポスト接続部と、
前記開放部の両端から外側に突出し、締付具によって互いに接近する方向に変位可能な一対の締付片と、を備え、
前記ポスト接続部には、部分的に内側に突出する突出部が、少なくとも前記開放部の両側の位置と前記開放部とは反対側の位置とに設けられているバッテリーターミナル。
【請求項２】
前記突出部が、前記ポスト接続部のうち下側の部分に設けられている請求項１に記載のバッテリーターミナル。
【発明の詳細な説明】
【技術分野】
【０００１】
本発明は、バッテリーターミナルに関する。
【背景技術】
【０００２】
従来、バッテリーポストに固定されるバッテリーターミナルが知られている（例えば下記特許文献１に記載）。バッテリーターミナルは、一般に、バッテリポストを包囲するポスト接続部と、ポスト接続部を縮径させるための一対の締付片とを備えている。ポスト接続部は略筒状をなすとともに周方向の一部が開放され、一対の締付片はポスト接続部の開放部の両端から外側に突出している。そして、一対の締付片を締付具により締め付けて接近させることにより、ポスト接続部が縮径変形し、バッテリーターミナルがバッテリーポストに固定される。一対の締付片は、締め付け作業を行いやすくするべく、ポスト接続部の軸線に対して斜めに傾けて設けられている。
【先行技術文献】
【特許文献】
【０００３】
【特許文献１】特開２０１１−１３４６５５号公報
【発明の概要】
【発明が解決しようとする課題】
【０００４】
ところで、上記のようなバッテリーターミナルは、一対の締付片を締付具によって締め付ける際に、ポスト接続部の開放部の両側が上方または下方に捩じれるように変形する虞がある。特に、一対の締付片が斜めに傾けて設けられたものにおいては、そのような変形が起こりやすいと考えられる。そして、バッテリポストは、先端側に向かって徐々に細くなる形状をなしているから、ポスト接続部のうち上方に変位した部分はバッテリポストから離れてしまうため、ポスト接続部の変形具合によってはバッテリポストに対する固定力が不足する虞があった。
【０００５】
本発明は上記のような事情に基づいて完成されたものであって、バッテリーポストに対する固定力を安定化することが可能なバッテリーターミナルを提供することを目的とする。
【課題を解決するための手段】
【０００６】
本発明のバッテリーターミナルは、バッテリポストを包囲する略筒状をなすとともに周方向の一部が開放され、その開放部が開閉することにより径寸法が変わるポスト接続部と、前記開放部の両端から外側に突出し、締付具によって互いに接近する方向に変位可能な一対の締付片と、を備え、前記ポスト接続部には、部分的に内側に突出する突出部が、少なくとも前記開放部の両側の位置と前記開放部とは反対側の位置とに設けられている。
【発明の効果】
【０００７】
本発明によれば、締付具によって一対の締付片を接近させると開放部が狭まり、開放部の両側に設けられた突出部と、開放部とは反対側に設けられた突出部とがバッテリポストに確実に当接するから、バッテリーポストに対する固定力を安定化することができる。
【図面の簡単な説明】
【０００８】
【図１】本実施例におけるバッテリーターミナルであって、バッテリポストに固定される前の状態を示す側面図
【図２】バッテリポストに固定された状態のバッテリーターミナルを示す正面図
【図３】バッテリポストに固定された状態のバッテリーターミナルを示す断面図
【図４】バッテリポストに固定される前の状態のバッテリーターミナルを示す断面図であって、図１のＡ−Ａ位置における断面に相当する断面図
【図５】バッテリポストに固定された状態のバッテリーターミナルを示す断面図であって、図１のＡ−Ａ位置における断面に相当する断面図
【発明を実施するための形態】
【０００９】
本発明の好ましい形態を以下に示す。
本発明のバッテリーターミナルは、前記突出部が、前記ポスト接続部のうち下側の部分に設けられているものとしてもよい。このような構成によれば、突出部がバッテリポストのうち径寸法が大きい下側の部分に当接するから、バッテリポストに対する固定力をより安定化することができる。
【００１０】
＜実施例＞
以下、本発明を具体化した一実施例について、図１〜図５を参照しつつ詳細に説明する。
本実施例におけるバッテリーターミナルＴは、バッテリ本体の上面に突設されたバッテリポストＰに対し、電線Ｗを電気的に接続するためのものである。バッテリポストＰは、下端から上端へ向かって次第に径寸法が小さくなるテーパ状の略円柱形に形成されている。以下、各構成部材において、図１の上側を上方、下側を下方、左側を前方、右側を後方、また図４の上側を右方、下側を左方として説明する。
【００１１】
バッテリーターミナルＴは、所定形状の金属板材に曲げ加工等を施して製造され、電線Ｗの端末部に接続される電線接続部１０と、バッテリポストＰに接続されるポスト接続部１１とを備えている。
【００１２】
電線接続部１０は、ポスト接続部１１の上端から後側に略水平に屈曲された板片１０Ｐと、板片１０Ｐの左右両側縁から下方に延出する一対のカシメ片１０Ｋとを有したオープンバレル状をなしている。電線接続部１０は、一対のカシメ片１０Ｋが電線Ｗの導体を包囲するようにしてカシメ付けられることで電線Ｗの端末部に圧着される。
【００１３】
ポスト接続部１１は、バッテリポストＰを包囲するとともに周方向の一部が開放された略円筒状をなし、その開放部の両端には、ボルト２０およびナット２１（締付具）によって互いに接近する方向に締め付け可能な一対の締付片１２が外側に突出して設けられている。
【００１４】
ボルト２０は金属製であり、外周に雄ネジ部が形成された軸部２２と、軸部２２の一端部に形成した頭部２３とを有している。頭部２３は、全体として軸部２２と直角な略正方形の厚板状をなしている。ナット２１は、外周が六角形に成形されるとともに、内周に雌ねじ孔が貫通して形成された周知形態のものである。
【００１５】
ポスト接続部１１は、一対の締付片１２を締め付ける前においては、バッテリポストＰよりも一回り大きい径寸法を有し、バッテリポストＰに対して上方から引っ掛かりなく円滑に嵌合可能とされている。そして、ポスト接続部１１は、一対の締付片１２を締め付けることによって開放部が狭まり、縮径するものとされている。
ポスト接続部１１には、部分的に内側に突出する突出部１５が設けられている。なお、突出部１５については、後ほど詳しく説明する。
【００１６】
一対の締付片１２は、ポスト接続部１１と一体に形成され、ポスト接続部１１の周方向における両端縁（開放部の両側）から外周側へ突出するように屈曲された板状をなしている。なお、一対の締付片１２は、電線接続部１０とは約１８０度反対方向に突出している。
【００１７】
一対の締付片１２は、締め付け前においては互いに略平行をなし（図４参照）、締め付け後においては、互いの先端側がポスト接続部１１側よりも接近するように傾いた姿勢になる。
【００１８】
一対の締付片１２には、ボルト２０の軸部２２を通すことが可能な貫通孔１３が設けられている。また、一対の締付片１２のうち一方には、ボルト２０の連れ周りを制限する回り制限部１４が設けられている。回り制限部１４は、締付片１２の上端縁部をボルト２０の頭部２３が配される側に屈曲して設けられている。
【００１９】
そして、ボルト２０は、軸部２２を貫通孔１３に貫通させるとともに、頭部２３の一辺（上縁）を回り制限部１４に係止させた状態で取り付けられる。取り付けられたボルト２０は、頭部２３と回り制限部１４との係止作用により回転を制限される。軸部２２は、一対の締付片１２を貫通して反対側に突出し、その端部にナット２１が締め付けられる。
【００２０】
さて、ポスト接続部１１には、開放部の両側の位置と開放部とは反対側の位置とに突出部１５が設けられている。突出部１５は、叩き出しにより形成され、ポスト接続部１１の外周側から見ると、略方形状をなして凹んだ形態をなしている。突出部１５の突出寸法は略一定とされ、突出部１５の内周面１６はポスト接続部１１のうち突出部１５が形成されていない部位と同等の勾配（バッテリポストＰと同等のテーパ角度）で斜めに傾斜している（図３参照）。突出部１５の突出寸法は、バッテリーターミナルＴを構成する金属板材の板厚寸法程度とされ、突出部１５は、金属板材１枚分だけ内側にずれた形態をなしている。そして、各突出部１５の幅方向（ポスト接続部１１の周方向）における両端と上端とには段差が形成されている。各突出部１５における幅方向の両端面１７および上端面１８は、図３および図４に示すように、ポスト接続部１１の内周面に対して切り立った面とされている。
【００２１】
全ての突出部１５は、ポスト接続部１１のうち下側の部分に設けられている。各突出部１５は、ポスト接続部１１の下端からポスト接続部１１の上下方向における略中心に至る範囲に形成されている。なお、全ての突出部１５の上下方向の寸法は、同等とされている。
【００２２】
全ての突出部１５のうち開放部の両側に設けられた一対の突出部１５（以後、第１突出部１５Ｆと称する）は、一対の締付片１２を中心に対称な形状に形成されている（図４参照）。各第１突出部１５Ｆは、締付片１２とポスト接続部１１との屈曲部に続いて設けられ、ポスト接続部１１の略前半部分におさまる範囲に形成されている。
【００２３】
また、全ての突出部１５のうち開放部の反対側（電線接続部１０側）に設けられた突出部１５（以後、第２突出部１５Ｓと称する）は、第１突出部１５Ｆよりも幅寸法（周方向の寸法）が大きくされている。第２突出部１５Ｓは、ポスト接続部１１の左右方向における中心部に設けられている。第２突出部１５Ｓの幅方向における中心は、ポスト接続部１１の左右方向の中心とほぼ一致している。
【００２４】
また、第１突出部１５Ｆと第２突出部１５Ｓとが設けられることで、第１突出部１５Ｆと第２突出部１５Ｓとの間には、相対的に外側に凹んだ凹部１９が形成されている。凹部１９は、ポスト接続部１１の左右方向における両側に一対が形成されている。なお、凹部１９の幅寸法は第２突出部１５Ｓの幅寸法と同等とされている。
【００２５】
次に、バッテリーターミナルＴをバッテリポストＰに固定する作業の一例を説明する。
まず、バッテリーターミナルＴをバッテリポストＰにセットする。図１に示すように、縮径していないポスト接続部１１を上方からバッテリポストＰに外嵌する。
【００２６】
次いで、一対の締付片１２を締め付ける。ボルト２０の軸部２２に嵌め合わされたナット２１を回転させると、ナット２１が締付片１２に面当たり状態で当接するとともに、ボルト２０の頭部２３が締付片１２の反対側の面に面当たり状態で当接し、頭部２３とナット２１との間に一対の締付片１２が挟み付けられる。そして、ナット２１の締付動作に伴って、一対の締付片１２が次第に接近し、ポスト接続部１１の開放部が次第に狭まり、図５に示すように、一対の第１突出部１５Ｆと第２突出部１５ＳとがそれぞれバッテリポストＰに当接する。そして、各突出部１５の内周面１６の全体が、面接触状態でバッテリポストＰの外周面に密着するとともに、各突出部１５の上端縁および左右両端縁がバッテリポストＰに若干食い込んだ状態になる。こうして、ポスト接続部１１は、バッテリポストＰに対して導通可能に接続された状態で固定される。
以上により、バッテリーターミナルＴをバッテリポストＰに固定する作業が完了する。
【００２７】
次に、上記のように構成された実施例の作用および効果について説明する。
本実施例のバッテリーターミナルＴは、バッテリポストＰを包囲する略筒状をなすとともに周方向の一部が開放され、その開放部が開閉することにより径寸法が変わるポスト接続部１１と、開放部の両端から外側に突出し、ボルト２０およびナット２１によって互いに接近する方向に変位可能な一対の締付片１２と、を備え、ポスト接続部１１には、部分的に内側に突出する突出部１５が、開放部の両側の位置と、開放部とは反対側の位置とに設けられている。この構成によれば、ボルト２０およびナット２１によって一対の締付片１２を接近させると開放部が狭まり、開放部の両側に設けられた突出部１５と、開放部とは反対側に設けられた突出部１５とがバッテリポストＰに確実に当接するから、バッテリーポストに対する固定力を安定化することができる。
【００２８】
また、突出部１５が、ポスト接続部１１のうち下側の部分に設けられている。この構成によれば、突出部１５がバッテリポストＰのうち径寸法が大きい下側の部分に当接するから、バッテリポストＰに対する固定力をより安定化することができる。
【００２９】
＜他の実施例＞
本発明は上記記述及び図面によって説明した実施例に限定されるものではなく、例えば次のような実施例も本発明の技術的範囲に含まれる。
（１）上記実施例では、突出部１５がポスト接続部１１の３箇所に設けられているが、これに限らず、上記３箇所に加えて他の箇所に突出部を設けても良い。
（２）上記実施例では、突出部１５がポスト接続部１１の下側のみに設けられているが、これに限らず、突出部１５の形成部位は適宜変更することができ、例えば突出部をポスト接続部の上側のみに設けてもよく、また、上下両側に設けても良い。
（３）上記実施例では、ポスト接続部１１の外周側から見た突出部１５の形状が略方形状とされているが、これに限らず、突出部の形状は任意に変更することができる。
（４）上記実施例では、一対の締付片１２がそれぞれ板状をなしているが、これに限らず、一対の締付片は、締付具によって互いに接近する方向に変位可能であればどのような形態のものであってもよい。
（５）上記実施例では、突出部１５が叩き出しにより形成されているが、これに限らず、突出部は、ポスト接続部に部分的に突出して設けられればどのような方法で形成してもよい。
【符号の説明】
【００３０】
Ｐ…バッテリポスト
Ｔ…バッテリーターミナル
１１…ポスト接続部
１２…締付片
１５…突出部
２０…ボルト（締付具）
２１…ナット（締付具）
【図１】
2016122574.tif 000003
【図２】
2016122574.tif 000004
【図３】
2016122574.tif 000005
【図４】
2016122574.tif 000006
【図５】
2016122574.tif 000007